(57)【要約】【課題】計測点の選定と計測点の計測データのグラフ表示とを柔軟に変更して、使用エネルギーの解析を行うエネルギーマネージメントシステムを得る。【解決手段】エネルギー解析機能を構成するＧＵＩは、表示内容選択部１とグラフ表示部２を有し、表示内容選択部１により、信号定義情報４を参照して、エネルギー解析対象の計測点及び表示期間を指定するとともに、この指定した計測点及び解析期間の解析対象データ５を計測データ蓄積部３から抽出して、汎用表計算ソフトウェアによって構成されるグラフ表示部２に渡し、グラフ表示部２は、受取った解析対象データ５に基づき、汎用表計算ソフトウェアのグラフ表示機能によりグラフ表示する。【選択図】図１
2013003882.tif 000002
【特許請求の範囲】
【請求項１】
エネルギー解析のためのグラフ表示を行うグラフィカルユーザインタフェースを有するエネルギーマネージメントシステムであって、
上記グラフィカルユーザインタフェースは、
上記エネルギー解析対象の計測点及び解析期間を指定するとともに、この指定した計測点及び解析期間の解析対象データを抽出して、上記エネルギー解析の解析内容を設定する解析内容設定部、
及び汎用表計算ソフトウェアによって構成され、上記解析内容設定部により抽出された上記計測点及び解析期間の解析対象データを用いて、グラフ表示を行うグラフ表示部を備えたことを特徴とするエネルギーマネージメントシステム。
【請求項２】
上記グラフィカルユーザインタフェースは、上記計測点をグループ化し、このグループ化された各計測点ごとにエネルギー使用量を演算するための演算式を定義する計測点グループ定義部を備え、
上記計測点グループ定義部の出力は上記解析内容設定部に入力され、上記計測点グループの各計測点及び演算式は、上記解析内容設定部によって上記グラフ表示部に出力されることを特徴とする請求項１記載のエネルギーマネージメントシステム。
【請求項３】
上記解析内容設定部は、複数のグラフ表示パターンの中から１つのグラフ表示パターンを指定するように構成され、
上記指定されたグラフ表示パターンによるグラフ表示が上記グラフ表示部により行われることを特徴とする請求項２記載のエネルギーマネージメントシステム。
【請求項４】
上記グラフ表示部は、上記計測点グループのうちの計測点について、第１の条件に合致する計測点に対応する解析対象データを用いて、上記グラフ表示を行うことを特徴とする請求項２または請求項３記載のエネルギーマネージメントシステム。
【請求項５】
上記計測点グループ定義部は、上記計測点のグループ化に当たって、第２の条件に合致する計測点をグループ化することを特徴とする請求項２〜請求項４のいずれか一項記載のエネルギーマネージメントシステム。
【発明の詳細な説明】
【技術分野】
【０００１】
この発明は、ビル、工場、各種建築物の使用エネルギーの計測及び解析を行うエネルギーマネージメントシステムに関するものである。
【背景技術】
【０００２】
ビル、工場、各種建築物の使用エネルギーの削減は、費用面だけでなく、地球温暖化防止に向け、各企業の社会的な責務となっている。このため、ビル、工場、各種建築物の使用エネルギーの計測、解析を行うエネルギーマネージメントシステムの導入が盛んに行われている。
ただし、ビル、工場、各種建築物によって、設備／運用が異なるため、一様にエネルギー使用状況を評価、解析することは困難である。特許文献１の例では、エネルギー解析を行うための装置が製作されているが、解析条件、データ抽出条件の選択方式が、固定であり、変更する場合は、ＧＵＩ（Ｇｒａｐｈｉｃａｌ  Ｕｓｅｒ  Ｉｎｔｅｒｆａｃｅ）の変更が必要となる。
【先行技術文献】
【特許文献】
【０００３】
【特許文献１】特開２００８−２５０６３７号公報（第４〜１０頁、図１）
【発明の概要】
【発明が解決しようとする課題】
【０００４】
ビル、工場、各種建築物のエネルギー解析を行うためには、計測対象エリアの使用者単位に計測点を集め、その集計条件を変えることで解析を行う。
特許文献１の例では、使用者単位に集められた計測点グループに対し、集計条件の変更を行うことで、解析を行っている。
ただし、レイアウトの変更や、組織変更、テナントの入退去で、計測しているエリアの使用者が変わった場合、元々の計測点自体の見直しが必要となる。
また、解析のためのグラフ表示形式を見直すためには、ＧＵＩの見直しが必要となる。そのままのＧＵＩでは、設備／運用の違いにより、設備管理者が望む解析ができない装置となってしまう例が多い。
【０００５】
この発明は、上記のような課題を解決するためになされたものであり、計測点の選定と計測点の計測データのグラフ表示とを柔軟に変更して、使用エネルギーの解析を行うエネルギーマネージメントシステムを得ることを目的とする。
【課題を解決するための手段】
【０００６】
この発明に係わるエネルギーマネージメントシステムにおいては、エネルギー解析のためのグラフ表示を行うグラフィカルユーザインタフェースを有するエネルギーマネージメントシステムであって、グラフィカルユーザインタフェースは、エネルギー解析対象の計測点及び解析期間を指定するとともに、この指定した計測点及び解析期間の解析対象データを抽出して、エネルギー解析の解析内容を設定する解析内容設定部、及び汎用表計算ソフトウェアによって構成され、解析内容設定部により抽出された計測点及び解析期間の解析対象データを用いて、グラフ表示を行うグラフ表示部を備えたものである。
【発明の効果】
【０００７】
この発明によれば、エネルギー解析のためのグラフ表示を行うグラフィカルユーザインタフェースを有するエネルギーマネージメントシステムであって、グラフィカルユーザイ
ンタフェースは、エネルギー解析対象の計測点及び解析期間を指定するとともに、この指定した計測点及び解析期間の解析対象データを抽出して、エネルギー解析の解析内容を設定する解析内容設定部、及び汎用表計算ソフトウェアによって構成され、解析内容設定部により抽出された計測点及び解析期間の解析対象データを用いて、グラフ表示を行うグラフ表示部を備えたので、計測点の選定及びグラフ表示を柔軟に変更して、使用エネルギーの解析を行うことができる。
【図面の簡単な説明】
【０００８】
【図１】この発明の実施の形態１によるエネルギーマネージメントシステムのエネルギー解析機能を示す構成図である。
【図２】この発明の実施の形態２によるエネルギーマネージメントシステムのエネルギー解析機能を示す構成図である。
【図３】この発明の実施の形態３によるエネルギーマネージメントシステムのエネルギー解析機能を示す構成図である。
【図４】この発明の実施の形態４によるエネルギーマネージメントシステムのエネルギー解析機能を示す構成図である。
【図５】この発明の実施の形態５によるエネルギーマネージメントシステムのエネルギー解析機能を示す構成図である。
【発明を実施するための形態】
【０００９】
実施の形態１．
以下、この発明の実施の形態１を図に基づいて説明する。
本発明は、各種装置から電気設備、機械設備の計測点の計測データを収集し、蓄積するエネルギーマネージメントシステム内のエネルギー解析機能についてのものである。エネルギーマネージメントシステムは、計算機で構成され、本発明はそのうちの一部の機能として実装される。
図１は、この発明の実施の形態１によるエネルギーマネージメントシステムのエネルギー解析機能を示す構成図である。
図１において、エネルギー解析機能は、ＧＵＩ（グラフィカルユーザインタフェース）である表示内容選択部１及びグラフ表示部２と、表示内容選択部１が参照する計測データ蓄積部３及び信号定義情報４とにより構成される。
表示内容選択部１（解析内容設定部）は、ユーザにより、解析対象の計測点、計測点の計測データをグラフ表示する場合の表示期間（解析期間）が設定される。グラフ表示部２は、汎用の表計算ソフトウェアにより構成されて、汎用の表計算ソフトウェアに基づいてグラフ表示を行う。
【００１０】
計測データ蓄積部３は、各計測点の計測データを蓄積している。信号定義情報４は、各種センサと１対１で定義された各計測点について、設置場所や、データ種別、使用用途などを予め定義したものである。
表示内容選択部１は、計測データ蓄積部３と信号定義情報４を基にして、解析対象の計測点、表示期間の解析対象データ５を抽出し、グラフ表示部２に受け渡すことで、より柔軟なエネルギー解析を行うようにしている。
グラフ表示部２の汎用表計算ソフトウェアは、条件シート２１と、ＣＳＶ（ｃｏｍｍａ−ｓｅｐａｒａｔｅｄ  ｖａｌｕｅ：表計算ソフトでデータをテキストファイルとして保存する場合の一形式で、項目やセルをカンマで区切っている）シート２２を有している。
【００１１】
次に、動作の詳細について説明する。
ユーザは、表示内容選択部１により、解析対象の計測点、表示期間、グラフ表示時の分割単位を設定する。表示内容選択部１は、ユーザからのグラフの表示要求を受け取ると、設定された情報を元に、計測データ蓄積部３から解析対象データ５を抽出して、グラフ表
示部２を起動し、解析対象データ５を受け渡す。
この解析対象データ５は、次のデータからなる。すなわち、（１）表示期間と分割単位、（２）計測点、（３）計測点別の計測時間と計測データである。
【００１２】
表示内容選択部１は、解析対象データ５のうちの（１）（２）（３）を条件シート２１、データ５のうちの（３）をＣＳＶシート２２というシートに記入することで、汎用の表計算ソフトウェアに解析対象データ５を受け渡す。
次に、グラフ表示部２は、条件シート２１とＣＳＶシート２２の設定内容を基にして、汎用の表計算ソフトウェアのグラフ表示機能でグラフ表示を行う。
【００１３】
実施の形態１によれば、エネルギー解析機能を、表示内容選択部とグラフ表示部に分けたので、計測点の選定及びグラフ表示を柔軟に変更して、エネルギー解析を行うことができる。
【００１４】
実施の形態２．
図２は、この発明の実施の形態２によるエネルギーマネージメントシステムのエネルギー解析機能を示す構成図である。
図２において、１〜５、２１、２２は図１におけるものと同一のものである。図２では、計測点グループ定義部６が、複数の計測点をまとめた計測点グループを定義する。定義された計測点グループは表示内容選択部１に入力される。
【００１５】
実施の形態１では、表示内容選択部１は、計測点単位に表示項目を指定しているが、実施の形態２は、複数の計測点をまとめた計測点グループ単位を指定する機能である計測点グループ定義部６を追加し、計測点グループごとにエネルギー使用量を演算する。
計測点グループは、基本的に、複数の計測点を有する使用者（テナントや組織の一部など）単位で、エネルギー使用量の合計を演算するように定義するものである。計測点グループ定義部６は、計測点グループとして、複数の計測点を登録し、合わせて、各計測点ごとに、エネルギー使用量を演算するための演算式を定義する。
実施の形態２の解析対象データ５は、次のデータからなる。すなわち、（１）表示期間と分割単位、（２−１）計測点グループ、（３）計測点別の計測時間と計測データである。
【００１６】
表示内容選択部１は、解析対象データ５のうちの（１）（２−１）（３）を条件シート２１、解析対象データ５のうちの（３）をＣＳＶシート２２に記入することで、汎用の表計算ソフトウェアに解析対象データ５を受け渡す。
グラフ表示部２は、計測点グループ定義部６の定義にしたがって、エネルギー使用量を演算し、実施の形態１と同様にして、ＣＳＶシート２２、条件シート２１の設定内容に基づいて、グラフ表示する。
グラフ表示部２で演算する計測点グループの値としては、指定された計測点のデータを、指定された演算式で演算した結果を合計して該当計測点グループの値とする。
これにより、１つの使用者が複数の計測点を持つ場合の合計のエネルギー使用量の算出が行える。
また、計測点グループ定義部６は、計測点ごとに演算式の定義を行うことで、電力メータで計測した電力量に対し、複数のテナントが面積比で按分しているような場合でも、テナント単位の電力量を算出し、グラフ表示可能とする。
【００１７】
実施の形態２によれば、計測点をグループ化し、グループ単位で、エネルギー使用量を演算することにより、使用者などのグループ単位でエネルギー使用量を演算することができる。
【００１８】
実施の形態３．
図３は、この発明の実施の形態３によるエネルギーマネージメントシステムのエネルギー解析機能を示す構成図である。
図３において、１〜６、２１、２２は図２におけるものと同一のものである。図３では、表示内容選択部１が、複数のグラフ表示パターン２０の中から使用するグラフ表示パターンを選択するようになっている。
【００１９】
実施の形態１、実施の形態２では、表示内容選択部１毎にグラフ表示部２を対応付けているが、実施の形態３は、１つの表示内容選択部１が、複数のグラフ表示パターン２０の中から、グラフ表示パターンを選択可能とする。
各グラフ表示パターンには、実施の形態１や実施の形態２と同様に汎用の表計算ソフトウェアを元にしたグラフ表示部２を割り付ける。
表示内容選択部１では、グラフ表示パターンの選択と、表示内容として、実施の形態２の（１）（２−１）（３）に加えて、計測点グループの積算値と計測値を設定する。
【００２０】
選択されたグラフ表示部２によりグラフ表示を行う場合、表示内容選択部１は、計測点グループについて、棒グラフや、円グラフを表示する積算値と、折れ線グラフを表示する累計値／計測値に分け、選択されたグラフ表示部２に解析対象データ５を、実施の形態２と同様にして受け渡すことにより、汎用の表計算ソフトウェアで容易にグラフを表示することができる。
グラフ表示部２では、選択されたグラフ表示パターンによるグラフを、実施の形態２と同様にして表示する。
【００２１】
実施の形態３によれば、グラフ表示パターンを選択して、エネルギー使用量のグラフ表示を行うことができる。
【００２２】
実施の形態４．
図４は、この発明の実施の形態４によるエネルギーマネージメントシステムのエネルギー解析機能を示す構成図である。
図４において、１、３〜６、２０、２１、２２は図３におけるものと同一のものである。図４では、グラフ表示部２３が、汎用の表計算ソフトウェアにより構成されて、汎用の表計算ソフトウェアに基づいてグラフ表示を行うとともに、各計測点グループに登録されている計測点の属性に従い、演算対象とするかどうか判定し、条件（第１の条件）に合致した場合のみ演算対象とするフィルタリング機能を有している。
【００２３】
実施の形態２及び実施の形態３では、計測点グループに登録された計測点のデータを、計測点グループ定義に従い、演算を行っているが、実施の形態４は、各計測点グループに登録されている計測点の属性に従い、演算対象とするかどうか判定し、条件に合致した場合のみ演算対象とするフィルタリング機能を追加する。
このフィルタリング機能は、グラフ表示部２３の汎用表計算ソフトウェアのもつ機能を利用する。
フィルタリング情報（第１の条件）としては、以下の中から選択可能とする。
（Ａ）計測点の信号定義情報４（設置場所、データ種別、使用用途等）
（Ｂ）計測データの時間（曜日、休日、祭日、昼間／夜間等の時間帯、年、月、日等）
これにより、解析対象のデータを、選定し、調査したいデータのみを対象にしたグラフを容易に表示することができる。
【００２４】
実施の形態４によれば、計測点グループのうちの計測点を、計測点の属性により選択して解析対象とし、解析対象のみをグラフ表示することができる。
【００２５】
実施の形態５．
図５は、この発明の実施の形態５によるエネルギーマネージメントシステムのエネルギー解析機能を示す構成図である。
図５において、１、３〜５、２０〜２３は図４におけるものと同一のものである。計測点グループ定義部６１は、指定条件（第２の条件）に該当する計測点を抽出して、計測点グループとして登録する。この計測点グループは表示内容選択部１に入力される。
【００２６】
実施の形態１〜実施の形態４では、特定の計測点、もしくは計測点グループを指定した上でグラフ表示、解析を行っているが、実施の形態５は、計測点グループ定義部６１として、以下の指定条件で合致する計測点を抽出し、計測点グループとする機能を設けている。
ここで、指定条件とは、（Ｃ）データ抽出条件（偏差、閾値、最大値、最小値）（Ｄ）計測点の設置場所、データ種別、使用用途（Ｅ）検索データ検索期間と分割単位、である。
【００２７】
計測点グループ定義部６１は、このような指定条件により、抽出された計測点を表示する。例えば、エネルギーロスが大きいと判断される指定条件で検索することで、省エネルギーポイントを抽出することができる。
また、抽出された計測点は、実施の形態２〜実施の形態４と同様に表示内容選択部１に受け渡すことで、抽出された計測点について、グラフ表示、解析を行うことができる。
指定条件を記録し、任意の時期に再度検索することで、継続的にエネルギーロスが大きい部位がないかどうかをチェックすることが可能となる。
【００２８】
また、実施の形態５の計測点グループ定義部６１は、単独で用いてもよく、あるいは実施の形態４のフィルタリング機能と同時に用いてもよい。
【００２９】
実施の形態５によれば、指定条件により解析対象の計測点を抽出し、計測点グループとして、解析のためのグラフ表示を行うことができる。
【符号の説明】
【００３０】
１  表示内容選択部
２  グラフ表示部
３  計測データ蓄積部
４  信号定義情報
５  解析対象データ
６  計測点グループ定義部
２０  複数のグラフ表示パターン
２１  条件シート
２２  ＣＳＶシート
２３  グラフ表示部
６１  計測点グループ定義部
【図１】
2013003882.tif 000003
【図２】
2013003882.tif 000004
【図３】
2013003882.tif 000005
【図４】
2013003882.tif 000006
【図５】
2013003882.tif 000007